(57)【要約】      （修正有）【課題】付近の金網・ガードレールや樹木に犬を短めにすばやく縛ることができ、飼い主の両手が空いた状態で、排泄物などの処理を確実にできるリードを提供する。【解決手段】リードの両端とその間にひとつずつ計３個のスプリングフック１，３，５が装着され、どのスプリングフックも首輪のＤカンや綱、フック同士に掛けることができる。使いやすい綱の長さは、ペットの体格や綱をかけるものの太さによって違うが、だいたい１４０ｃｍくらいが適当である。この場合真ん中のスプリングフック３は、両端からそれぞれ６０ｃｍと８０ｃｍの所に配置するのが良い。【選択図】図１
2020092687.tif 000002
【特許請求の範囲】
【請求項１】
ペットの首輪やハーネスのＤカンにかけるスプリングフックと綱のセットでリードであり、全長の両端とその間にスプリングフックを計３個装着し、これら３個のフックはすべて首輪のＤカンと綱とフック同士に掛けることができるので、散歩中路上の様々なものにこのリードでペットを縛れ、縛った後の自由な綱の長さを短く調整して人の行き来に迷惑を掛けることがないようにした短く縛れるリード。
【発明の詳細な説明】
【技術分野】
【０００１】本発明はペット用のリードであって、短く縛れるリードに関するものである。
【背景技術】
【０００２】通常のペットの散歩用リードは、首輪やハーネスのＤカンにスプリングフックで接合している綱である。引き手側端は持ち手として輪になっている物が一般的である。綱の素材は皮、繊維、鎖、ワイヤーなど紐状のものである。ペットの排泄物の処理などのために、どこかに縛るリードとしては、綱の途中に複数のリングを装着し、引き手側端にもスプリングフックを装着して飼い主の胴体や立ち木、ポールなどに巻いて使うものや、綱を差し込める特殊な金具を引き手側端に装着して輪を作って縛るものや、引き手側端のスプリングフックを綱の途中に差し込んだ眼鏡状の金具に接合して任意の輪を作るもの、ベルト状でリードの長さが調節でき引き手の胴バンドと接合して使うものなどが見受けられた。
【先行技術文献】
【０００３】
【特許文献１】実用新案第３０６０１２４号
【特許文献２】実用新案第３１３７２９９号
【特許文献３】実用新案第３１６０７３５号
【特許文献４】実用新案第３１６８０９１号
【特許文献５】実用新案第３１９８０２９号
【発明の概要】
【発明が解決しようとする課題】
【０００４】散歩時のペットの排泄行為は、散歩の主な目的であり、ペットの排泄物の確実な処理は飼い主の責務である。しかし、従来、飼い主一人で散歩するときは、片手または両手がペットの保持に携わっており、排泄物の処理時にペットが急に動くと手が引っ張られて排泄物の処理を失敗することがある。本発明は、ペットの散歩中、ペットの排泄物を処理するときなどに、近くのポールやガードレールなどに簡単にペットを縛り、飼い主が両手を空けられるようにするためのものである。また、縛る際、ペットが往来に迷惑をかけないように短く縛ることが必要であるが、本発明は、電柱以下の太さであれば、どのような太さものにでも、掛け方を選択することで、必ず短く縛ることができる。また、多頭連れの際も有用なものである。加えて、携帯電話の操作や、靴紐を結ぶなど、散歩中の緊急でかつ両手を使う時に有用なものである。総じて、飼い主の敷地内であればペットを繋ぐ綱の長さは、ペットと飼い主の都合で決められるが、往来で繋ぐときは、綱の長さは極力短くすることが必要である。繋ぐ対象の太さや形状に関わらず短く繋げることができるのが本発明品である。
一方、従来技術にある飼い主の体にペットを縛るやり方では、ペットが動かなければ良いが、ペットが往来の人や動物に反応して不意に動くと、飼い主は引っ張られてバランスを失うし、たとえ物に繋いでも、綱の長さの調節ができないのであれば、往来で安心してペットから手を離すことができない。本発明はこれらの問題点を解決するためになされたものである。
【課題を解決するための手段】
【０００５】本発明のリードは両端とその間にひとつずつ計３個のスプリングフックが装着され、どのスプリングフックも首輪のＤカンや綱、フック同士に掛けることができる。使いやすい綱の長さは、ペットの体格や綱をかけるものの太さによって違うが、だいたい１４０ｃｍくらいが適当である。この場合真ん中のスプリングフックは、両端からそれぞれ６０ｃｍと８０ｃｍの所に配置するのが良い。本発明は以上の構成よりなる短く縛れるリードである。
【発明の効果】
【０００６】本発明により、まずリードの６０ｃｍの所を使い、綱をＵ字に掛けるとそのポールの直径が１ｃｍならポールとペットの間の綱の長さは約２８．７ｃｍ、直径が５ｃｍなら約２３．５ｃｍになる［図２］。Ｕ字ではなく、巻いた金具を綱に掛けると、ポールの直径が１ｃｍならポールとペットの距離は約５６．９ｃｍ。ポールの直径が５ｃｍなら約４４．３ｃｍ、１０ｃｍなら約２８．６ｃｍになる［図３］。反対側の８０ｃｍで使うと、Ｕ字掛けならポールの直径が１ｃｍ未満でポールとペットの距離が約３８．７ｃｍ、１０ｃｍなら約２６．８ｃｍ［図４］。また巻いた金具を綱に掛けると、ポールの直径が１０ｃｍならポールとペットの距離は約４８．６ｃｍ、１５ｃｍなら約３２．９ｃｍだ［図５］。全長１４０ｃｍで使うと、Ｕ字ならポールの直径が２０ｃｍの時ペットとポールの距離は約４３．４ｃｍ、３０ｃｍなら約２８．９ｃｍ［図６］、巻いた金具を綱に掛けると、ポールの直径が３０ｃｍの時ポールとペットの距離は約４５．８ｃｍ、３５ｃｍの時約３０．１ｃｍになる［図７］。縛る対象の太さや形状によって掛け方を選択すれば、ペットが必ず短い綱で固定され、あちこち動き回れなくなる。だから飼い主は簡単にペットを近くの金網やガードレール、樹木等に短く固定することができる。よって下記の効果を生む。
１、人等の行き来を気にせずペットから手を離して両手でペットの排泄物を手際よく処理することができる。
２、後回しにすることができない緊急の用件を、両手を使って処理することができる。
【図面の簡単な説明】
【０００７】
【図１】短く縛れるリードの概略図
【図２】短く縛れるリードの６０ｃｍの綱を使ってＵ字に繋ぐ概略図
【図３】短く縛れるリードの６０ｃｍの綱を使って巻いた金具を綱に掛ける概略図
【図４】短く縛れるリードの８０ｃｍの綱を使ってＵ字に繋ぐ概略図
【図５】短く縛れるリードの８０ｃｍの綱を使って巻いた金具を綱に掛ける概略図
【図６】短く縛れるリードの１４０ｃｍの綱を使ってＵ字に繋ぐ概略図
【図７】短く縛れるリードの１４０ｃｍの綱を使って巻いた金具を綱に掛ける概略図
【図８】短く縛れるリードでの散歩時の使用形態の概略図
【発明を実施するための形態】
【０００８】飼い主がペットを散歩させている際、ペットが排便の体勢になったら、速やかにペットを縛れる物があるところに移動して落ち着いて排便をさせる。終わったら本発明品の綱の６０ｃｍを用いて、または８０ｃｍを用いて、または全長１４０ｃｍを用いて、Ｕ字にあるいは巻いたフックを綱に掛けて、対象物の形状に合わせて繋ぎ方を選択し、ガードレール等にペットを短く固定する。しっかり固定できたことを確かめた上でペットから手を離し、便のほうに戻って両手でペットの排泄物の処理を確実に済ませる。排泄物の処理に「ペットの固定」が一手間増えるが、一方、ペットを気にせずスムーズな作業が実現され、心理的にも落ちついてモラルに適った処理ができる。多頭連れの場合も同じく、１頭が排泄するときは、全頭それぞれ本発明品を１本ずつ使用してガードレール等に固定し、両手で排泄物の処理を行う。このように、ペットとの散歩中に両手を使って緊急に処理することが発生したとき、本発明品を使ってペットを短く固定し、用事を済ますことができる。短く繋ぐ事ができることは、限られたスペースで長時間過ごす避難所での防災グッズとして有用だ。さらに、通常の散歩時は１端のスプリングフックを中間のスプリングフックに掛けて輪を作り、持ち手として使用する。［図８］
【符号の説明】
【０００９】１  ６０ｃｍの綱側のスプリングフック
２  ６０ｃｍの綱
３  真ん中のスプリングフック
４  ８０ｃｍの綱
５  ８０ｃｍの綱側のスプリングフック
【図１】
2020092687.tif 000003
【図２】
2020092687.tif 000004
【図３】
2020092687.tif 000005
【図４】
2020092687.tif 000006
【図５】
2020092687.tif 000007
【図６】
2020092687.tif 000008
【図７】
2020092687.tif 000009
【図８】
2020092687.tif 000010